(57)【要約】      （修正有）【課題】キャップ部内の流体収容部と記録ヘッドとの距離との最適化を行うことができるキャッピングユニット及びそのキャッピングユニットを備えた流体噴射装置の提供すること。【解決手段】流体を吐出する流体噴射ヘッドのノズル開口を覆うキャップ部本体と、流体を収容するための流体収容部２１と、キャップ部本体における流体収容部２１の相対位置を位置決めする位置決め部３５と、キャップ部本体における位置決め部３５の相対位置を変化させるための位置変更部５１，５２等を有することを特徴とするキャッピングユニット及び流体噴射装置。【選択図】図６
2008207459.tif 000002
【特許請求の範囲】
【請求項１】
流体を吐出する流体噴射ヘッドのノズル開口を覆うキャップ部本体と、
前記ノズル開口の流体を収容するための流体収容部と、
前記キャップ部本体における前記流体収容部の相対位置を位置決めする位置決め部と、
を有するキャップ部を備えるキャッピングユニットであって、
前記キャップ部本体における前記位置決め部の相対位置を変化させるための位置変更部を有することを特徴とするキャッピングユニット。
【請求項２】
前記位置変更部は、前記流体収容部と前記ノズル開口との間隔を変化させる構成となっていることを特徴とする請求項１に記載のキャッピングユニット。
【請求項３】
前記位置変更部は、熱によって形状変形可能な形状記憶材料で構成されていることを特徴とする請求項１又は請求項２に記載のキャッピングユニット。
【請求項４】
前記位置変更部は、前記形状記憶材料でなる形状記憶バネで形成され、
前記形状記憶バネは、冷却時には前記流体収容部と前記ノズル開口との間隔が広くなり、加温されると前記ノズル開口との間隔が狭くなるように伸縮する構成となっていることを特徴とする請求項３に記載のキャッピングユニット。
【請求項５】
流体を吐出する流体噴射ヘッドのノズル開口を覆うキャップ部本体と、
前記ノズル開口の流体を収容するための流体収容部と、
前記キャップ部本体における前記流体収容部の相対位置を位置決めする位置決め部と、
を有するキャップ部を備えるキャッピングユニットを有する流体噴射装置であって、
前記キャップ部は、
前記キャップ部本体における前記位置決め部の相対位置を変化させるための位置変更部を有することを特徴とする流体噴射装置。
【発明の詳細な説明】
【技術分野】
【０００１】
本発明は、記録用紙等に対して印字等するための流体噴射装置のキャッピングユニットおよび流体噴射装置に関するものである。
【背景技術】
【０００２】
従来より、流体噴射装置の一例である、例えば、インクジェット式記録装置は、記録用紙等にインクを吐出する為のインクジェット式記録ヘッドを有している。このインクジェット式記録ヘッドは、ノズルを介してインクを記録用紙等に吐出するため、ノズル近傍においてインクが増粘したり、ノズル内に気泡が混入して、インクの吐出が良好に行えなくなるのを防ぐ為、待機中や停止中にインクジェット式記録ヘッドにキャップを被せるようにしたキャッピングユニットを備えている。
【０００３】
このようなキャッピングユニットは、インクジェット式記録ヘッド（以下「記録ヘッド」という）に当接して、ノズルを覆うように配置されるキャップ部と、キャップ部内を負圧にする為の吸引ポンプとを有し、そして、キャップ部と吸引ポンプとを接続する管を有している。さらに、キャッピングユニットは、キャップ部内の負圧状態を大気圧状態に戻す為の開放機構を備えている。
【０００４】
このような、キャッピングユニットは、記録ヘッドにキャップ部を当接することで記録ヘッドを保護する。そして、キャッピングユニットは、吸引ポンプによってキャップ部内を負圧状態として、記録ヘッドのノズル近傍のインクを吸引する。このようにキャッピングユニットは、記録ヘッドのノズルのクリーニングを行う機能を有している。また、キャッピングユニットは、キャップ部を記録ヘッドに当接させることで、ノズルの乾燥に伴う目詰まりなどを防止する機能も有している。従って、このようなキャッピングユニットはクリーニング機構とも呼ばれている。
【０００５】
そして、このキャッピングユニットのキャップ部は、キャップ部本体とキャップ部本体の内部にインクを吸収して収容する吸収材を配している構成となっている。この吸収材は記録ヘッドのノズルのクリーニングに際して排出されるインクを吸収して収容する構成となっている。
しかし、この吸収材は、インクを吸収すると膨張して、その上面が上昇する場合がある。そして、このように吸収材の上面が上昇した場合は、その上面が記録ヘッドのノズル開口に近づいて、吸収材や吸収材の吸収したインクがノズル開口に付着する恐れがある。
【０００６】
そこで、このように吸収材の膨張による盛り上がりを解消するために、例えば、特許文献１では、吸収材の上面側から押し板や格子状の位置決め部である押え部を配設して、キャップ部に吸収材を固定する方法が提案されている。つまり、吸収材には貫通孔を設け、キャップ部本体には、その貫通孔と対応する位置にピン部を設けている。そして、この貫通孔にピン部を嵌挿して、更に、吸収材の上面側に配置されている押し板や格子状の押え部に設けられた貫通孔にこのピン部を嵌挿する。そして、押し板や格子状の押え部に設けられた貫通孔から露出しているピン部の先端を熱でかしめて、押し板や格子状の押え部で吸収材を固定するような構成が提案されている。
【特許文献１】特開２００５−２７１４５６号公報（図７）
【発明の開示】
【発明が解決しようとする課題】
【０００７】
しかし、上述のように、吸収材を押し板や格子状の位置決め部である押え部を熱でかしめることにより、キャップ部本体内に固定した場合は、吸収材と記録ヘッドとの距離との最適化を行うことが困難であるという問題がある。これは、このキャッピングユニットで、記録ヘッドのクリーニングを行うインク吸引時と、そのインク吸引時以外の場合においては、吸収材と記録ヘッドの最適な距離が異なる場合があるからである。つまり、インク吸引時においては、吸収材と記録ヘッドの距離は近接しているほうが記録ヘッド面のインクを吸収材が吸収してくれるので記録ヘッド面のインク残りが抑制できるため好ましく、また、インク吸引時以外では、吸収材は記録ヘッドに近いと振動や膨潤などで吸収材が記録ヘッドに接するとノズルのインクメニスカスが破壊され印字不良になるため確実に離間しているほうが好ましい。
しかし、吸収材をキャップ部本体内に押し板や格子状の押え部で固定している場合は、キャップ部本体における吸収材と記録ヘッドの距離の調節が困難であるという問題がある。
【０００８】
そこで、本発明は、キャップ部本体における流体収容部と記録ヘッドとの距離との調整を行うことができるキャッピングユニット及び流体噴射装置の提供にある。
【課題を解決するための手段】
【０００９】
前記課題は、本発明によれば、流体を吐出する流体噴射ヘッドのノズル開口を覆うキャップ部本体と、前記ノズル開口の流体を収容するための流体収容部と、前記キャップ部本体における前記流体収容部の相対位置を位置決めする位置決め部と、を有するキャップ部を備えるキャッピングユニットであって、前記キャップ部本体における前記位置決め部の相対位置を変化させるための位置変更部を有することを特徴とするキャッピングユニットにより達成される。
【００１０】
前記構成は、キャップ部本体と流体収容部を有するキャップ部を備えるキャッピングユニットである。そして、キャップ部本体は流体噴射ヘッドと当接して、ノズル開口を覆うようになっている。また、流体収容部は、ノズル開口の流体を収容するようになっている。そして、キャップ部本体における流体収容部の相対位置は位置決め部により、位置決めされており、更に、キャップ部本体における位置決め部の相対位置を変化させる位置変更部を有している。
【００１１】
従って、流体収容部がノズル開口の流体を吸収して収容する際においても、流体収容部は、キャップ部本体における相対位置を変化させることで適切な位置に調整することができる。このため、流体収容部は流体を効率よく受け止め収容することができる。
【００１２】
好ましくは、前記位置変更部は、前記流体収容部と前記ノズル開口との間隔を変化させる構成となっていることを特徴とするキャッピングユニットである。
【００１３】
前記構成によれば、位置変更部は、流体収容部とノズル開口との間隔を変化させる。従って、流体収容部とノズル開口との干渉を防ぐことができるように調整することができる。
【００１４】
好ましくは、前記位置変更部は、熱によって形状変形可能な形状記憶材料で構成されていることを特徴とするキャッピングユニットである。
【００１５】
前記構成によれば、位置変更部は、熱によって形状変形可能な形状記憶材料で構成されている。従って、キャップ部本体における位置決め部の相対位置を変化させる際に、熱により形状変形させて調整することが可能となる。
【００１６】
好ましくは、前記位置変更部は、前記形状記憶材料でなる形状記憶バネで形成され、前記形状記憶バネは、冷却時には前記流体収容部と前記ノズル開口との間隔が広くなり、加温されると前記ノズル開口との間隔が狭くなるように伸縮する構成となっていることを特徴とするキャッピングユニットである。
【００１７】
前記構成によれば、位置変更部は、形状記憶材料でなる形状記憶バネで形成されている。そして、この形状記憶バネは、冷却時に流体収容部とノズル開口との間隔を広くして、加温の際には流体収容部とノズル開口との間隔を狭くなるように伸縮するようになっている。
【００１８】
このため、位置変更部に加える熱の調整である加温又は冷却の調整により、キャップ部本体における位置決め部の位置を変化させることができる。
【００１９】
前記課題は、本発明によれば、流体を吐出する流体噴射ヘッドのノズル開口を覆うキャップ部本体と、前記ノズル開口の流体を収容するための流体収容部と、前記キャップ部本体における前記流体収容部の相対位置を位置決めする位置決め部と、を有するキャップ部を備えるキャッピングユニットを有する流体噴射装置であって、前記キャップ部は、前記キャップ部本体における前記位置決め部の相対位置を変化させるための位置変更部を有することを特徴とする流体噴射装置により達成される。
【発明を実施するための最良の形態】
【００２０】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
（第１の実施形態）  
図１は、本発明の流体噴射装置の実施形態に係るインクジェット式記録装置（以下「記録装置」という）１００を示す概略斜視図である。そして、図２は、図１の記録装置の概略端面図である。
【００２２】
図１に示すように、記録装置１００は、キャリッジ１０１を有し、このキャリッジ１０１はキャリッジモータ１０２により駆動されるタイミングベルト１０３を介し、ガイド部材１０４に案内されてプラテン１０５の軸方向に往復移動されるように構成されている。
このキャリッジモータ１０２は、図１に示すように電力を供給する電力供給手段である例えば、コンセントに差し込むプラグ１０９ａ、プラグ１０９ａと記録装置１００を接続するコード１０９ｂ、又は電源のＯＮとＯＦＦを切り替える電源スイッチ１０９ｃ等から電力の供給を受け駆動する構成となっている。
【００２３】
図１のキャリッジ１０１のターゲットである例えば、記録用紙２００に対向する側には、後述する流体噴射ヘッドである例えば、インクジェット式記録ヘッド（以下「記録ヘッド」という）３０が搭載され、その上部には、記録ヘッド３０に流体である例えば、インクを供給するブラックインクカートリッジ１０６及びカラー用インクカートリッジ１０７が着脱可能に装填されている。
【００２４】
そして、この記録用紙２００には、インクが吐出され印字等されると共に、この記録用紙２００はターゲット配置領域である例えば、印字領域Ｐに配置される。
また、図１に示すように、記録用紙２００が配置されない休止領域である例えば、ホームポジションＨ（非印字領域）には、キャップ部１２２を有するクリーニング手段１２１である例えば、キャッピングユニット１２０、吸引ポンプ１２５そしてワイピング部材１４０が配置されている。  
このキャッピングユニット１２０は、一方を開口する略箱状のキャップ部１２２と、図示しない昇降機構を備えている。また、キャップ部１２２はチューブ１１０を介して、吸引ポンプ１２５（図２参照）と連結されている。
【００２５】
ここで、クリーニング手段１２１が行うクリーニングについて説明する。
クリーニング手段１２１のキャッピングユニット１２０は、記録ヘッド３０がキャップ部１２２の上方に移動すると、記録ヘッド３０のノズル開口面３０ａを覆うように昇降機構が駆動するようになっている。そして、記録ヘッド３０にキャップ部１２２が当接すると停止する。そして、この状態で、吸引手段である吸引ポンプ１２５が駆動する。そうすると、吸引ポンプ１２５は、キャップ部１２２を介して記録ヘッド３０内の流体としてのインクや気泡等を吸引する構成となっている。そして、キャップ部１２２を介して吸引されたインクは、チューブ１１０を介して廃インクタンク１１３に送られる。
以上は、クリーニング手段１２１のクリーニングを行う工程の一例となっている。
【００２６】
次に、本実施形態のキャッピングユニット１２０のキャップ部１２２の構成について、図３乃至図７を参照して具体的に説明する。
図３は、キャップ部１２２のキャップ本体部１２３の概略斜視図である。図４は、このキャップ本体部１２３の概略上面図である。そして、図５は、キャップ本体部１２３に吸収材２１を配置した状態のキャップ部１２２の概略上面図となっている。図４及び図５の概略上面図は、キャップ本体部１２３の開口面１２３ａ側の上方からの図である。つまり、図３におけるＺ方向からみたＸ−Ｙ平面となっている。
そして、図６は、図５のキャップ本体部１２３に吸収材２１を配置させているキャップ部１２２が、図示していない記録ヘッド３０のノズル開口面３０ａを覆うように、図示しない昇降機で駆動させた後に、記録ヘッド３０に当接した際であって、ノズル開口のインクを吸引する際の状態を示す概略一部拡大断面図である。図７は、吸引した後のキャップ部の状態を示す概略一部拡大断面図である。
【００２７】
図７に示すように、キャップ本体部１２３は、一方を開口する略箱状態の筐体部２３を有し、この筐体部２３の開口端面を覆うようにシール部２６が設けられている。このシール部２６は、記録ヘッド３０と当接する際に弾性変形するようになっている。そして、筐体部２３は、その形状を保ち、且つ、記録装置１０に設置しやすいように、例えば、硬質な材料で形成されている。硬質な材料としては、例えば、ポリプロピレン、ポリカーボネート等のプラスチック等や金属等が挙げられる。そして、シール部２６は、弾性変形し易いように、例えば、熱可塑性エラストマー等で形成されている。そして、例えば、筐体部２３とシール部２６は、２色成形等で一体的に成形されている。
【００２８】
また、このキャップ本体部１２３には、その底面２２に位置変更部としての支持部１３０が、その４つの角近傍に設けられている。つまり、角に１つずつ設けられ、合計で４本設けられている。
そして、この支持部１３０は、略円柱状に形成されており、大小の円柱を重ねた形状となっている。つまり、支持部１３０は、底面２２から開口側に延びる大径の円柱である大径円柱部３１と、その大径円柱部３１の上面４０から延びてこの大径円柱部３１の径より小径の円柱である小径円柱部３２とからなっている。
そして、支持部１３０の間には、位置変更部としての第１バネ５１ａ、５１ｂと第２バネ５２ａ、５２ｂが設けられている。例えば、第１バネ５１ａと第２バネ５２ａ及び第１バネ５１ｂと第２バネ５２ｂは、支持部１３０の間で、キャップ本体部１２３の長手方向に沿って設けられている。この第１バネ５１ａ、５１ｂと第２バネ５２ａ、５２ｂは、例えば、コイル状のバネとなっている（図３及び図４参照）。
【００２９】
そして、キャップ本体部１２３の内部には、吸収材２１が配置されている。この吸収材２１は、ノズル開口からのインクを吸収して収容するようになっており、例えば不織布等で形成されている。そして、この吸収材２１は、支持部１３０を貫通する為の貫通孔２１ａを有しており、また、第１バネ５１ａ、５１ｂと第２バネ５２ａ、５２ｂが設置されるための貫通孔２１ｂも有している。従って、キャップ本体部１２３に吸収材２１を配置すると、支持部１３０及び第１バネ５１ａ、５１ｂと第２バネ５２ａ、５２ｂは、貫通孔２１ａ、２１ｂからそれぞれの上部が見えるようになっている（図６及び図７参照）。
【００３０】
そして、図５に示すように、この吸収材２１は、ノズル開口からの流体を吸収して膨張した際に、浮き上がり、キャップ本体部１２３の開口から突出するのを防止するように押え部３５を有している。ここで、押え部３５は、位置決め部の一例である。
この押え部３５は、支持部１３０を架橋するように枠状に形成されている梁部３５ａと梁部３５ａの長手方向の略中心部を通り短手方向と平行に設けられた梁部３５ｃと、梁部３５ａと梁部３５ｃとの交点から支持部１３０の位置に向かって斜めに配置される梁部３５ｂとを有している。そして、支持部１３０の位置には支持部１３０と接合する為に略円環形状の接合部３７を設けている。この接合部３７は、支持部１３０の小径円柱部３２を接合部２７の略円環形状に通すと、小径円柱部３２の上面側４１ａが少し露出するようになっている。そして、上面側４１ａの少し露出した部分を熱や圧力等でつぶすと、その接合部３７に抜け止め部４１が形成されるようになる（図６及び図７参照）。
この接合部３７の略円環形状の略円環の内径は、小径円柱部３２の径より僅かながら大きくなるようにしている。従って、抜け止め部４１は少なくとも接合部３７から抜けない程度にされている。
【００３１】
そして、この抜け止め部４１と、大径円柱部３１の上面４０との間にはクリアランスＨが設けられており、この範囲内で、押え部３５は上下動の幅を有するようになっている。従って、この押え部３５で押えられている吸収材２１も同様にこのクリアランスＨ分だけ上下動の幅を有するようになっている。つまり、この支持部１３０のクリアランスＨは、位置決め部である押え部３５のキャップ本体部１２３における相対位置を変化させる為の位置変更部の一例となっている。
そして、吸収材２１が上下動できるようにする為に、押え部３５は以下の構成を備えている。
【００３２】
まず、上記したように、接合部３７の略円環形状の略円環の内径は、小径円柱部３２の径より僅かながら大きくなるようにされている。
また、第１バネ５１ａ、５１ｂは、熱により形状変形するように構成されている。例えば、チタンとニッケルの化合物からなる形状記憶合金からなるコイルバネとなっている。
そして、第２バネ５２ａ、５２ｂは、特に熱により形状変形するもので構成されていなくてもよく、通常の金属等からなるコイルバネである。例えば、ステンレスからなるバネである。
【００３３】
そして、第１バネ５１ａ、５１ｂの熱による形状変形が、伸張する場合に、第２バネ５２ａ、５２ｂは追従して伸張されるようになっている。例えば、第２バネ５２ａ、５２ｂは引張りバネとなっている。
このため、第１バネ５１ａ、５１ｂが熱により変形して伸張した場合に、小径円柱部３２に沿って、押え部３５が上昇して、その結果、吸収材２１の上面も上昇する。
さらに、第１バネ５１ａ、５１ｂが加温されると伸張するように形状記憶される場合を詳細に説明する。例えば、キャップ本体部１２３の底面２２に電熱線２７を設ける。そして、この電熱線２７と接続する電源部２８をＯＮして電流を流すと電熱線２７が発熱する。そして、この発熱は第１バネ５１ａ、５１ｂに伝わる。すると、第１バネ５１ａ、５１ｂは伸張して、小径円柱部３２に沿って、押え部３５が上昇する。その結果、吸収材２１の上面もＺ１方向に上昇する（図６参照）。
【００３４】
そして、電源部２８をＯＦＦすると、電熱線２７には電流が係らなくなり、電熱線２７は発熱しなくなる。
すると、第１バネ５１ａ、５１ｂには熱が係らなくなり、伸張されていた第１バネ５１ａ、５１ｂはもとの状態となる。つまり、大径円柱部３１の上面４０で押え部３５が止まるようになり、吸収材２１はキャップ本体部１２３の底面２２と接するようになり、図７のＺ２方向に移動する。そして、第２バネ５２ａ、５２ｂは、この押え部３５が元の位置に戻るのを補佐するようになっている。つまり、第１バネ５１ａ、５１ｂを補完するようになっている。
【００３５】
このような一連の動作は、記録ヘッド３０のノズル開口のクリーニング時の動作の一部となっている。
つまり、記録ヘッド３０のノズル開口のクリーニングは、先ず、キャップ部１２２を記録ヘッド３０に当接させる。この際に、上記のような第１バネ５１ａ、５１ｂを加温して変形させ、それに伴い吸収材２１をノズル開口面３０ａに近接させる。つまりは、図６のＺ１方向に移動する。この場合であっても、吸収材２１の上面は、シール部２６の当接面２６ａより突出することはない。しかし、吸収材２１は、ノズル開口面３０ａに近接するように可動できるので、ノズル開口面３０ａとの距離を短くすることができる。そして、吸引ポンプ１２５で吸引して負圧状態として、記録ヘッド３０に付着しているインクの吸引を行う。このとき記録ヘッド３０と吸収材２１の距離は近いので、ノズル開口面３０ａに残存する余分なインクを吸収することができる。そして、キャップ部１２２内を大気開放して、キャップ部１２２を下降させ、記録ヘッド３０のノズル開口面３０ａをワイパー１４０で払拭する。このさい、ノズル開口面３０ａのインクは吸収材２１にある程度吸収されているので、払拭の際に変形したワイパー１４０が元の状態に戻る際のインク飛散は抑制される。そして、次に、キャップ部１２２を開放したまま、吸引を行い、キャップ部１２２内のインクを排出する。
【００３６】
また、加温を停止して、さらに吸引されたインクで、第１バネ５１ａ、５１ｂが冷やされると、早く元の位置に戻ることができる（図７）。このため、インク吸引時以外では、吸収材２１の上面とノズル開口面３０ａとの距離は離間するようにできる。従って、ノズル開口面３０ａと干渉しないようにできる。
このように、第１バネ５１ａ、５１ｂ及び第２バネ５２ａ、５２ｂ、支持部１３０、押え部３５は位置変更部を構成する一例となっている。吸収材２１は流体収容部の一例となっている。また、キャップ本体部１２３はキャップ部本体の一例となっている。
【００３７】
（第２の実施形態）  
第２の実施形態の多くの構成は、第１の実施形態と共通するため、共通する構成については説明を省略し、異なる構成を中心に説明する。
図８は、キャップ部２２２の概略上面図を示しており、図９及び図１０はキャップ部２２２の動作を説明するための概略一部拡大断面図を示している。
【００３８】
第１の実施形態と異なる点は、位置変更部の構成の一部分である。
つまり、第１の実施形態における第１バネ５１ａ、５１ｂ及び第２バネ５２ａ、５２ｂとの構成に変えて、位置変更保持部１５１を設けている点にある。
図８乃至図１０を参照すると、この位置変更保持部１５１は、帯状の形状記憶合金で形成されている。そして、キャップ本体部１２３の底面２２に設けられた溝部２２ａと嵌合するように嵌合部１５１ｃを有している。この嵌合部１５１ｃは、キャップ本体部１２３の長手方向に沿って設けられている。そして、この嵌合部１５１ｃの両端から上方に向かって延びるように脚部１５１ｂが設けられている。そして、この脚部１５１ｂの端部は、押え部３５と接合できるように折り曲げられて押え部３５上で接合される接合部１５１ａを有している。
【００３９】
つまり、図８に示すように接合部１５１ａは押え部３５の梁部３５ａと接合されており、嵌合部１５１ｃはこの接合部１５１ａの間で長手方向であるＹ方向に沿って設けられている。そして、図９で示すように、この位置変更保持部１５１の脚部１５１ｂは、加温されると伸ばされるようになっており、図１０で示すように、冷却すると元に戻るようになっている。つまり、この脚部１５１ｂは、形状記憶合金となっている。
この脚部１５１ｂは、冷却されている元の状態においては、ジャバラ状になっており、加温されると、そのジャバラ状の部分が伸ばされ、真直ぐに上向きに伸ばされるようになっている。
【００４０】
そして、記録ヘッド３０をクリーニングする際に、記録ヘッド３０にキャップ部２２２を上昇させて、当接させる。そして、キャップ部２２２を負圧状態にするために、吸引ポンプ１２５で吸引する。そして、記録ヘッド３０のノズル開口面３０ａに付着しているインクを除去する。この際に、除去しやすいように、吸収材２１をノズル開口面３０ａと近接するように可動させる。そして、吸収材２１を可動させるために、電源部２８の電源をＯＮして電流を電熱線２７に流すと、電熱線２７は発熱する。そして、その電熱線２７の熱が位置変更保持部１５１に伝わる。すると、図９で示すように、脚部１５１ｂが伸張するように変形する。そして、その変形により、押え部３５を上方に移動させると、それに伴って、吸収材２１もノズル開口面３０ａと近接する方向に移動する。図面上はＺ１方向である。従って、ノズル開口面３０ａに付着している余分なインクは吸収材２１で吸収して受け止められ易くなる。
【００４１】
次に、電源部２８の電源をＯＦＦして、電熱線２７の発熱を止めて、位置変更保持部１５１を加温しないようにする。すると、位置変更保持部１５１の脚部１５１ｂは元の折れ曲がった状態に戻る。すると、押え部３５は、下降し、吸収材２１はノズル開口面３０ａと離間する方向に移動する（図１０参照）。
従って、クリーニング時以外は、脚部１５１ｂはジャバラ状に折れ曲がった状態であり、吸収材２１は押え部３５に伴って、元の位置に下がった状態となっている。このため、ノズル開口面３０ａは吸収材２１等で干渉されることが無い。
その他の構成は第１の実施形態と同様となっている。
【００４２】
従って、本発明によれば、クリーニング時には吸収材２１をノズル開口面３０ａと近接するように移動でき、また、クリーニング時以外は吸収材２１をノズル開口面３０ａと離間する位置で保持することができるようになっている。
従って、クリーニング時においては、ノズル開口面３０ａに付着している余分なインクを十分に除去することが可能であり、クリーニング時以外は、ノズル開口面３０ａと干渉することが無い。
また、このように、吸収材２１のノズル開口面３０ａに対する相対位置を簡単な構成で調節できるので、予め、吸収材２１の膨潤を考慮して設計することが不要となる。そして、クリーニング時にノズル開口面３０ａに付着するインクを軽減できるので、次回のクリーニング時の間隔を長くすることもできる。また、ワイパー１４０での払拭に際し、ノズル開口面３０ａに付着したインクが予め軽減されているので、ワイパー１４０の払拭に際し、インクの飛び散りも少なくすることが可能となる。また、ノズル開口面３０ａのインク残りが少ないためインクの混色の可能性も低減できクリーニングの信頼性を向上できる。
【００４３】
本発明は、上述の実施の形態に限定されない。上記実施形態では、流体噴射装置をインクジェット式記録装置に具体化したが、この限りではなく、インク以外の他の流体（液体や、機能材料の粒子が分散されている液状体、ジェルのような流状体を含む）を噴射したり吐出したりする流体噴射装置に具体化することもできる。例えば、液晶ディスプレイ、ＥＬ（エレクトロルミネッセンス）ディスプレイ及び面発光ディスプレイの製造などに用いられる電極材や色材などの材料を分散または溶解のかたちで含む液状体を噴射する液状体噴射装置、バイオチップ製造に用いられる生体有機物を噴射する液体噴射装置、精密ピペットとして用いられ試料となる液体を噴射する液体噴射装置であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置、カプセル等に医薬品、健康食品の抽出物、調味料やゼラチン等のジェル（ゲル）を内包するために、これらのゲルをカプセル内に適量を噴射する流状体噴射装置であってもよい。そして、これらのうちいずれか一種の流体噴射装置に本発明を適用することができる。
【図面の簡単な説明】
【００４４】
【図１】流体噴射装置の実施の形態に係るインクジェット式記録装置を示す概略斜視図である。
【図２】図１のインクジェット式記録装置の構成を説明する為の概略端面図である。
【図３】第１の実施形態に係るキャッピングユニットのキャップ部のキャップ部本体を説明するための概略斜視図である。
【図４】第１の実施形態に係るキャッピングユニットのキャップ部のキャップ部本体を説明するための概略上面図である。
【図５】第１の実施形態に係るキャッピングユニットのキャップ部を説明するための概略上面図である。
【図６】第１の実施形態に係るキャッピングユニットのキャップ部の動作を説明するための概略一部拡大断面図である。
【図７】第１の実施形態に係るキャッピングユニットのキャップ部の動作を説明するための概略一部拡大断面図である。
【図８】第２の実施形態に係るキャッピングユニットのキャップ部を示す概略上面図である。
【図９】第２の実施形態に係るキャッピングユニットのキャップ部の動作を説明するための概略一部拡大断面図である。
【図１０】第２の実施形態に係るキャッピングユニットのキャップ部の動作を説明するための概略一部拡大断面図である。
【符号の説明】
【００４５】
１００・・・インクジェット式記録装置、１０１・・・キャリッジ、１０２・・・キャリッジモータ、１０３・・・タイミングベルト、１０４・・・ガイド部材、１０５・・・プラテン、１０６・・・ブラックインクカートリッジ、１０７・・・カラー用インクカートリッジ、１０９ａ・・・プラグ、１０９ｂ・・・コード、１０９ｃ・・・電源スイッチ、３０・・・インクジェット式記録ヘッド、３０ａ・・・ノズル開口面、１１０・・チューブ、１２０・・・キャッピングユニット、１２２及び２２２・・・キャップ部、１２３・・・キャップ本体部、１２５・・・吸引ポンプ、１３０・・・支持部、１４０・・・ワイピング部材、２００・・・記録用紙、２１・・・吸収材、２２・・・底面、２３・・・筐体部、２６・・・シール部、２７・・・電熱線、２８・・・電源部、３１・・・大径円柱部、３２・・・小径円柱部、３５・・・押え部、４０・・・上面、４１・・・抜け止め部、５１ａ及び５１ｂ・・・第１バネ部、５２ａ及び５２ｂ・・・第２バネ部、１５１・・・位置変更保持部、１５１ａ・・・設置部、１５１ｂ・・・脚部、１５１ｃ・・・嵌合部
【図１】
2008207459.tif 000003
【図２】
2008207459.tif 000004
【図３】
2008207459.tif 000005
【図４】
2008207459.tif 000006
【図５】
2008207459.tif 000007
【図６】
2008207459.tif 000008
【図７】
2008207459.tif 000009
【図８】
2008207459.tif 000010
【図９】
2008207459.tif 000011
【図１０】
2008207459.tif 000012